(57)【要約】【課題】文字や模様等の表示を楽しむことが可能である新規な照明装置を提供する。【解決手段】本発明の照明装置は、内部に発光部が設けられた本体部と、本体部の上部を覆うように設けられた第１の支持部材と、第１の支持部材上に設けられた光透過部材と、を有し、第１の支持部材は、複数の開口部を有し、複数の前記開口部の下方にそれぞれ配置された複数の揺動装置を有し、光透過部材は、開口部を介して揺動装置によって揺動される。なお、本発明の照明装置において、本体部に、センサ部が設けられていることが好ましい。【選択図】図２
2010243569.tif 000002
【特許請求の範囲】
【請求項１】
内部に発光部が設けられた本体部と、
前記本体部の上部を覆うように設けられた第１の支持部材と、
前記第１の支持部材上に設けられた光透過部材と、を有し、
前記第１の支持部材は、複数の開口部を有し、
複数の前記開口部の下方にそれぞれ配置された複数の揺動装置を有し、
前記光透過部材は、前記開口部を介して揺動装置によって揺動される照明装置。
【請求項２】
請求項１において、
前記発光部は、複数の前記揺動装置の下方に渡って設けられた光拡散部材と、前記光拡散部材の端部から光を入射する発光部材とからなる照明装置。
【請求項３】
請求項１又は請求項２において、
前記本体部に、揺動装置を動作させるためのセンサ部が設けられている照明装置。
【請求項４】
請求項１乃至請求項３のいずれか一項において、
前記光透過部材を前記本体部に固定するための第２の支持部材を有する照明装置。
【請求項５】
請求項１乃至請求項４のいずれか一項において、
前記センサ部として、物体の接近や位置を無接触で検出する近接センサを用いる照明装置。
【請求項６】
請求項１乃至請求項５のいずれか一項において、
前記光透過部材の透過率は３０％以上７０％以下である照明装置。
【請求項７】
請求項１乃至請求項６のいずれか一項において、
前記揺動装置は、プロペラを有する回転体である照明装置。
【請求項８】
請求項１乃至請求項７のいずれか一項において、前記照明装置は音声発生手段を有しており、前記音声発生手段は、前記揺動装置と連動して制御される照明装置。
【発明の詳細な説明】
【技術分野】
【０００１】
本発明は、照明装置に関する。
【背景技術】
【０００２】
文字や模様等の表示内容を自由に変更可能な表示板として、複数のＬＥＤをマトリクス状に配置したＬＥＤ表示パネルが用いられている（例えば、特許文献１）。従来の表示パネルでは、複数のＬＥＤの点灯をドライバ回路によって制御することにより、任意の文字や模様を表示することが可能である。
【先行技術文献】
【特許文献】
【０００３】
【特許文献１】特開平６−６７６２２号公報
【発明の概要】
【発明が解決しようとする課題】
【０００４】
しかしながら、従来の表示パネルでは、マトリクス状に配置されたＬＥＤの点灯を制御することにより文字等を表示するのみであるため、表示内容を正確に認識する必要がある道路標識や交通案内板等のインフォメーションパネルや時計の表示部などへの利用には大変優れているが、間接照明のようなインテリア用の照明装置として用いることは困難であった。
【０００５】
そこで、本発明では、文字や模様等の表示を楽しむことが可能であり、インテリアにも適した新規な照明装置を提供することを目的とする。
【課題を解決するための手段】
【０００６】
本発明の照明装置は、内部に発光部が設けられた本体部と、本体部の上部を覆うように設けられた第１の支持部材と、第１の支持部材上に設けられた光透過部材と、を有し、第１の支持部材は、複数の開口部を有し、複数の前記開口部の下方にそれぞれ配置された複数の揺動装置を有し、光透過部材は、開口部を介して揺動装置によって揺動される。
【０００７】
なお、本発明の照明装置において、発光部は、複数の揺動装置の下方に設けられた光拡散部材と、光拡散部材の端部から光を入射する発光部材とを有することが好ましい。本体部に、揺動装置を動作させるためのセンサ部が設けられていることが好ましい。光透過部材を本体部に固定するための第２の支持部材を有することが好ましい。また、センサ部として、物体の接近や位置を無接触で検出する近接センサを用いることが好ましい。また、光透過部材の透過率は３０％以上７０％以下であることが好ましい。また、揺動装置は、プロペラを有する回転体であることが好ましい。また、照明装置は音声発生手段を有しており、音声発生手段は、揺動装置と連動して制御されることが好ましい。
【発明の効果】
【０００８】
本発明により、文字や模様等の表示を楽しむことが可能であり、インテリアにも適した新規な照明装置を提供することができる。
【図面の簡単な説明】
【０００９】
【図１】本発明の動作玩具の外観を説明するための図。
【図２】本発明の動作玩具の外観を説明するための図。
【図３】本発明の動作玩具の組立て図を説明するための図。
【図４】本発明の動作玩具の構成を説明するための図。
【図５】本発明の動作玩具のフローチャートを説明するための図。
【発明を実施するための形態】
【００１０】
図１は、本実施形態に対応する照明装置１００の外観を示す模式図である。本実施の形態に示す照明装置は、本体部１０１と、本体部１０１上に形成された窓部１０２と、本体部１０１の側面に設けられたセンサ部１０３、１０４を有している。なお、ここでは図示していないが、センサ部は、本体部１０１の四側面にそれぞれ設けられている。
【００１１】
図２に本実施の形態の照明装置の組立て図を示す。本実施の形態の照明装置は、図２（Ａ）に示すように、本体部１０１上に複数の開口部２００が形成された支持部材２０１が設けられ、支持部材２０１上に光透過部材２０２が設けられ、光透過部材２０２を本体に固定するための支持部材２０３が設けられている。
【００１２】
また、本体部１０１の内部には、光透過部材２０２を揺動可能な揺動部材２０４が複数設けられている。なお、複数の揺動部材２０４はそれぞれ、支持部材２０１を本体部１０１上に設置した際に、支持部材２０１に形成された開口部２００の下方に位置するように設けられている。なお、ここで必ずしも、全ての開口部２００の下方に揺動部材が配置される必要はなく、照明装置上に配置したいデザインによって適宜変更可能である。
【００１３】
また、本体部１０１の側壁には溝部２０５が設けられており、本体部１０１上に支持部材２０１、光透過部材２０２を設置した後、図２（Ｂ）に示すように、光透過部材２０２と支持部材２０３とを溝部２０５に差し込むことにより、光透過部材を本体部に固定することができる。本実施の形態では、支持部材２０１の開口部２００と光透過部材２０２とが重なった部分とで図１に示す窓部１０２を構成している。なお、本体部１０１と支持部材２０１は別々の部材で構成されていても良いし、一体的に構成されていても良い。
【００１４】
続いて、本体の内部構造を説明するために、図１の点Ａと点Ｂとを結ぶ破線部分の断面図を図３（Ａ）、（Ｂ）に示す。図３（Ａ）に示すように、本体部１０１の内部には、モーター部３０１と、モーター部３０１によって駆動される揺動部材２０４と、が設置され、揺動部材２０４の上方に開口部２００が形成された支持部材２０１が設けられ、支持部材２０１上に光透過部材２０２が設けられている。なお、点Ａと点Ｂを結ぶ破線部分以外の構造もほぼ同様であるため省略する。
【００１５】
本実施の形態において、モーター部３０１と揺動部材２０４とは軸部材３０２で連結されており、モーター部３０１と揺動部材２０４との間に、光拡散部材３０３が設けられ、光拡散部材３０３の側部にＬＥＤ等の発光部材３０４が設けられている。光拡散部材３０３は、ＬＥＤ等の発光部材３０４からの光を拡散して射出する部材である。ここで、発光部材３０４から発生した光は、光拡散部材３０３を介して本体部上方に発光され、支持部材２０１の開口部２００及び光透過部材２０２を介して外部に発光される。なお、図３では、光拡散部材３０３とモーター部３０１との間に棒状の軸が図示されているが、必ずしも当該軸は設ける必要はなく、装置全体を小型化したい場合等は光拡散部材３０３の下側に軸等を設けずにモーター部３０１を設置することが好ましい。
【００１６】
なお、光拡散部材３０３は、図３に示すように１つの部材が複数の揺動部材２０４の下方に渡って配置されていることが好ましい。それにより、光拡散部材３０３の端部に設けられた１つの発光部材３０４からの光が複数の開口部２００から射出されることになり、ＬＥＤ等の発光部材の個数を減らすことが可能である。
【００１７】
また、本体部１０１の内部下面に光反射シートを設けることにより、光拡散部材３０３から拡散して射出された光の一部が光反射シートで本体部上方に反射されるため、支持部材２０１の開口部２００及び光透過部材２０２を介してより多くの光を外部に発光させることが可能となる。
【００１８】
また、図３（Ｂ）に、モーター部３０１が駆動して揺動部材２０４が動作することにより、光透過部材２０２が揺動される様子を示す。揺動部材２０４が動作することにより、図３（Ｂ）に示すように、光透過部材２０２が揺動されて光透過部材２０２が上方に押し上げられる。そして、揺動部材２０４が停止すると、光透過部材２０２の自重により落下する（元の位置に戻ろうとする）ことにより図３（Ａ）に示すような状態に戻る。このように、揺動部材が動作・非動作を繰り返すことにより、本体内部から外部に発光される光は、光透過部材２０２が揺動されないときと異なる発光状態となる。つまり、光透過部材２０２が揺動する度に、あたかも光がゆらめいているかのような発光状態を得ることが可能である。
【００１９】
本実施の形態において、例えば、図４（Ａ）に示すように、センサ部１０３が反応した場合には、まず窓部４０１ａの下方に位置するモーター部が駆動し、次に、当該モーター部の矢印方向隣のモーター部が駆動し、その後、矢印方向に並んでいるモーター部が、窓部４０１ａの下方に位置するモーター部に近いものから順に駆動して、光透過部材２０２が揺動するとする。すると、光透過部材２０２が揺動している箇所の窓部での発光は、（光透過部材が揺動していない状態の）他の窓部での発光と異なった発光状態となるため、図４（Ａ）に示す矢印方向に向かってあたかも光がゆらめきながら移動しているかのような状態を得ることができる。
【００２０】
また、光透過部材の揺動状態によって、照明装置上に、文字や模様等が繰り返し表示されるような表示状態（例えば、図４（Ｂ）〜（Ｄ）のような発光状態の変化を繰り返す表示状態）や、反応したセンサ部の方向に光が向かってくるような表示状態（例えば、図４（Ｅ）〜（Ｇ））等を得ることができる。本実施の形態において、このような表示状態の制御は、揺動部材２０４を駆動する複数のモーター部３０１のうちいずれのモーター部３０１が駆動するかによって制御され、予め本体部１０１に設けられたセンサ部の反応状態と連動するようにプログラムされることにより実現される。
【００２１】
本実施の形態に示す照明装置において、照明装置上の繰り返しパターンや、文字・模様等を表示するなどの様々な表示状態は、光透過部材の揺動状態の変化によって実現している。そのため、照明装置から射出される光はゆらゆらとゆらめいており、幻想的な雰囲気を醸しだすインテリア用の照明として用いることができる。よって、文字や模様等の表示を楽しむことができ、眺めることにより使用者のストレス解消効果をも期待できる照明装置を提供することができる。
【００２２】
なお、本実施の形態の揺動部材は、光透過部材を揺動させることが可能なものであれば特に限定されることはなく、例えば、プロペラのような回転体を用いることができる。
【００２３】
また、光透過部材２０２は、本体内部からの光を透過し、且つ揺動装置が駆動することにより揺動する部材であれば特に限定されない。例えば、ポリエチレン素材や木綿等の布のような部材を用いることができる。また、光透過部材２０２として、可視光の透過率が３０％以上７０％以下程度の半透過性材料を用いることが好ましい。それにより、光透過部材が揺動しているときの発光状態と、揺動していないときの発光状態との差がより鮮明、且つ揺動箇所の発光がより淡い印象となり、より興趣性に富み、幻想的な雰囲気の照明装置を提供することが可能である。
【００２４】
また、センサ部１０３、１０４として、物体の接近や位置を無接触で検出する近接センサを用いることが好ましい。例えば、赤外線センサ、磁気センサ、光センサ等を用いることができる。無接触で検出可能なセンサを用いることにより、反応のタイミングが予想しづらいため、より興趣性に富んだ照明装置を得ることが可能である。なお、無接触センサに限らず、接触により物体の近接や位置を検出するセンサを用いてもよい。
【００２５】
次に、図５のフローチャートを参照して、本実施の形態に示す照明装置１００の動作処理の一例について説明する。図５に示すフローチャートは、制御部において、対応する処理プログラムをプロセッサが実行することにより実現される。
【００２６】
まず、ステップＳ１００１では、タイマーモードが選択された否かを判定する。もし、選択された場合には（ステップＳ１００１において「ＹＥＳ」）、ステップＳ１００２に移行する。
【００２７】
続くステップＳ１００２では、動作時刻が設定されたか否かを判定する。もし、動作時刻が設定された場合には（ステップＳ１００２において「ＹＥＳ」）、ステップＳ１００３に移行する。ステップ１００３では、オートオフ機能が無効化される。
【００２８】
一方、ステップＳ１００１において、タイマーモードが選択されなかった場合（ステップＳ１００１において「ＮＯ」）、又はステップＳ１００２において、動作時刻が設定されなかった場合（ステップＳ１００２において「ＮＯ」）は、オートオフ機能が有効となる（ステップＳ１００４）。
【００２９】
続くステップＳ１００５では、第１のセンサ部がＯＦＦ状態からＯＮ状態となったか否かを判定する。もし、ＯＮ状態となった場合には（ステップＳ１００５において「ＹＥＳ」）、ステップＳ１００６に移行する。
【００３０】
続くステップＳ１００６では、設定時刻以上経過したか否かを判定する。もし、設定時刻以上経過した場合には、第１のセンサ部での反応は動的物体による反応ではなく、壁等の固定物体による反応であると認識する（ステップＳ１００７）。
【００３１】
一方、ステップＳ１００５において、第１のセンサ部がＯＮ状態とならなかった場合（ステップＳ１００５において「ＮＯ」）、又はステップＳ１００６において、設定時刻が経過していない場合（ステップＳ１００６において「ＮＯ」）は、ステップＳ１００８に移行する。
【００３２】
続くステップＳ１００８では、第２のセンサ部がＯＦＦ状態からＯＮ状態となったか否かを判定する。もし、ＯＮ状態となった場合には（ステップＳ１００８において「ＹＥＳ」）、ステップＳ１００９に移行する。
【００３３】
続くステップＳ１００９では、設定時刻以上経過したか否かを判定する。もし、設定時刻以上経過した場合には、第２のセンサ部での反応は動的物体による反応ではなく、壁等の固定物体による反応であると認識する（ステップＳ１０１０）。
【００３４】
一方、ステップＳ１００８において、第２のセンサ部がＯＮ状態とならなかった場合（ステップＳ１００８において「ＮＯ」）、又はステップＳ１００９において、設定時刻が経過していない場合（ステップＳ１００９において「ＮＯ」）は、ステップＳ１０１１に移行する。
【００３５】
続くステップＳ１０１１では、第３のセンサ部がＯＦＦ状態からＯＮ状態となったか否かを判定する。もし、ＯＮ状態となった場合には（ステップＳ１０１１において「ＹＥＳ」）、ステップＳ１０１２に移行する。
【００３６】
続くステップＳ１０１２では、設定時刻以上経過したか否かを判定する。もし、設定時刻以上経過した場合には、第３のセンサ部での反応は動的物体による反応ではなく、壁等の固定物体による反応であると認識する（ステップＳ１０１３）。
【００３７】
一方、ステップＳ１０１１において、第３のセンサ部がＯＮ状態とならなかった場合（ステップＳ１０１１において「ＮＯ」）、又はステップＳ１０１２において、設定時刻が経過していない場合（ステップＳ１０１２において「ＮＯ」）は、ステップＳ１０１４に移行する。
【００３８】
続くステップＳ１０１４では、第４のセンサ部がＯＦＦ状態からＯＮ状態となったか否かを判定する。もし、ＯＮ状態となった場合には（ステップＳ１０１４において「ＹＥＳ」）、ステップＳ１０１５に移行する。
【００３９】
続くステップＳ１０１５では、設定時刻以上経過したか否かを判定する。もし、設定時刻以上経過した場合には、第４のセンサ部での反応は動的物体による反応ではなく、壁等の固定物体による反応であると認識する（ステップＳ１０１６）。
【００４０】
一方、ステップＳ１０１４において、第４のセンサ部がＯＮ状態とならなかった場合（ステップＳ１０１４において「ＮＯ」）、又はステップＳ１０１５において、設定時刻が経過していない場合（ステップＳ１０１５において「ＮＯ」）は、ステップＳ１０１７に移行する。
【００４１】
続くステップＳ１０１７では、第１のセンサ部から第４のセンサ部のうち、１つ以上のセンサ部がＯＮ状態となったか否かを判定する。もし、１つ以上のセンサ部がＯＮ状態となった場合には（ステップＳ１０１７において「ＹＥＳ」）、第１のモードが起動される（ステップＳ１０１８）。
【００４２】
一方、ステップＳ１０１７において、１つ以上のセンサ部がＯＮ状態とならなかった場合には（ステップＳ１０１７において「ＮＯ」）、設定時刻以上経過した後に（ステップＳ１０２０）、第２のモードが起動される（ステップＳ１０２１）。
【００４３】
そして、第１のモード又は第２のモードが起動された後、一定時間経過後に装置の動作を終了する。
【００４４】
センサ部の反応状態により移行する第１のモード、第２のモードとして、例えば、反応したセンサ部に向かって光が走ってくるように揺動装置を駆動するモードや、様々な模様が表示されるようにするモードなどを設定することができる。なお、本実施の形態では、センサ部の反応状態により、第１のモードと第２のモードに移行するようになっているが、これに限定されるものではなく、単一のモードで駆動するものとしてもよいし、２つ以上のモードに移行するものであってもよい。
【００４５】
また、本実施の形態に示すように揺動装置で発光状態を変化させるだけでなく、音声を発生するようにしてもよい。例えば、本体部に音声発生手段を設け、音声発生手段と揺動装置とを連動して制御するようにプログラムすることができる。それにより、視覚のみならず聴覚を刺激することができ、より興味をそそる照明装置を提供することが可能である。
【００４６】
さらに、本実施の形態では横置きの照明装置について説明したが、例えば壁に掛けることで縦置きの照明装置とすることも可能である。光透過部材の垂線方向に作用する力の大きさは照明装置を横置きにした場合と縦置きにした場合とで異なるため、揺動装置の動作により押し上げられた光透過部材が元の位置に戻る（復帰する）までの時間は異なる。このため、横置きとは異なる光のゆらぎの視認が可能である。
【００４７】
以上のように、本発明によれば、文字や模様等の表示を楽しむことが可能であり、インテリアにも適した照明装置を提供することが可能である。
【符号の説明】
【００４８】
１００    照明装置
１０１    本体部
１０２    窓部
１０３    センサ部
１０４    センサ部
２０１    支持部材
２０２    光透過部材
２０３    支持部材
【図１】
2010243569.tif 000003
【図２】
2010243569.tif 000004
【図３】
2010243569.tif 000005
【図４】
2010243569.tif 000006
【図５】
2010243569.tif 000007